(57)【要約】【課題】エスカチオンの外観的なデザインを変えようと思う時には、上下キャップのみを簡単に交換することができること。【解決手段】室内側のエスカチオン３は、少なくとも上下の固着具を介して前記内壁面に固定され、かつ、上下の端部開口１２，１２を有する枠状カバー本体１１と、前記端部開口を塞ぐようにカバー本体１１に取り外し可能に嵌め込まれ、かつ、同種の物品でデザインが異なる物に交換可能な上下のキャップと、前記カバー本体１１のスペースに組み込まれる電池収納ケース１３とから成り、前記電池収納ケース１３の外端部には被係合部が形成され、この被係合部と係止状態に係合する係合爪部ないし係合アームを有する前記キャップをカバー本体１１の端部開口１２から引き抜くと、前記電池収納ケース１３も一緒にカバー本体１１から出てくることを特徴とする。【選択図】　図８
2004027593.tif 000002
【特許請求の範囲】
【請求項１】
ドアを挟むように固着手段を介してドアの内壁面並びに外壁面にそれぞれ当接固定された内外のエスカチオンに於いて、前記室内側のエスカチオン３は、少なくとも上下の固着具５を介して前記内壁面１ａに固定され、かつ、上下の端部開口１２，１２を有する枠状カバー本体１１と、前記端部開口を塞ぐようにカバー本体１１に取り外し可能に嵌め込まれ、かつ、同種の物品でデザインが異なる物に交換可能な上下のキャップ１５，１４と、前記カバー本体１１のスペースに組み込まれる電池収納ケース１３とから成り、前記電池収納ケース１３の外端部には被係合部３１が形成され、この被係合部と係止状態に係合する係合爪部ないし係合アームを有する前記キャップ１４をカバー本体１１の端部開口１２から引き抜くと、前記電池収納ケース１３も一緒にカバー本体１１から出てくることを特徴とするドア用錠前のエスカチオン。
【請求項２】
請求項１に於いて、カバー本体１１には端子支持部材２１を介して固定端子２２が設けられ、一方、電池収納ケース１３の内端部には、前記固定端子２２と対応接続する内端部端子３３が固定的に設けられていることを特徴とするドア用錠前のエスカチオン。
【請求項３】
請求項１に於いて、電池収納ケース１３は、カバー本体１１のネジ用貫通孔１７と符合する貫通孔３０を有し、かつ、両貫通孔１７，３０を貫通する固着具５を介してカバー本体１１に固定されていることを特徴とするドア用錠前のエスカチオン。
【請求項４】
請求項１に於いて、電池収納ケース１３には、内端部の中央部から長手方向に操作部材用の駆動軸１８ａが入り込む垂直状の長い切欠部３２が形成されていることを特徴とするドア用錠前のエスカチオン。
【請求項５】
ドアを挟むように固着手段を介してドアの内壁面並びに外壁面にそれぞれ当接固定された内外のエスカチオンに於いて、前記室内側のエスカチオン３Ａは、少なくとも上下の固着具を介して前記内壁面に固定され、かつ、上下の端部開口１２，１２を有する枠状カバー本体１１Ａと、前記端部開口を塞ぐようにカバー本体１１Ａに取り外し可能に嵌め込まれ、かつ、同種の物品でデザインが異なる物に交換可能な上下のキャップ１５，１４Ａと、前記カバー本体１１Ａのスペースに組み込まれる電池収納ケース１３Ａとから成り、前記カバー本体１１Ａの電池収納ケース１３Ａを差し込む側の端部には被係合部３１Ａが形成され、この被係合部３１Ａと係止状態に係合する係合爪部ないし係合アームを有する前記キャップ１４Ａをカバー本体１１Ａの端部開口１２から引き抜くと、前記電池収納ケース１３Ａをカバー本体１１Ａから取り出せることを特徴とするドア用錠前のエスカチオン。
【請求項６】
請求項１に於いて、カバー本体１１Ａの中央部には端子支持部材２１を介してマイナスとプラスの弾発性固定端子２２，２２が左右に所定間隔を有して設けられ、一方、前記弾発性固定端子２２，２２に圧接する電池収納ケース１３の内端部には、前記固定端子２２，２２と対応接続する内端部端子３３，３３が固定的に設けられていることを特徴とするドア用錠前のエスカチオン。
【発明の詳細な説明】
【０００１】
【発明の属する技術分野】
本発明は、ドア用錠前のエスカチオンに関し、例えばホテルの各室のドアにそれぞれ取付けられたドア用錠前のエスカチオンに関する。
【０００２】
【従来の技術】
出願人は、この種のエスカチオンに関し、電池収納ケースを枠状カバー本体から容易に引き出すことができる一例（（特願平９−３２６９１号）を先に貴庁に提案している。この先行発明は、カバー本体に差し込まれる電池収納ケースと、カバー本体の端部開口を塞ぐキュップ（この先願ではカバー本体の端部開口から突出しかつ該開口の端面に当接支持される頭部のことを意味する。）とは一体に形成されている。
【０００３】
ところで、時代の流行に対応し、現に使用中のエスカチオンの外観上のデザイン変更をしたい場合がある。このような場合、上記先行発明の実施例ではキュップのみを交換する訳にはいかない。その理由は枠状カバー本体と電池収納ケースは、構造上、互いに有機的一体に組み合わせられている所、キュップ（頭部）を有する電池収納ケースを交換するということになると、極端な話、エスカチオンそのものを「丸ごと交換」しなければならなくなってしまうからである。そこで、少なくともエスカチオンの主要部を「丸ごと交換」しなくても良いアイデアが要望されている。
【０００４】
【発明が解決しようとする課題】
本発明の第１の目的は、エスカチオンの主要部を「丸ごと交換」しなくても、エスカチオンの外観上のデザイン或いはイメージを変更することができるドア用錠前のエスカチオンを提供することである。第２の目的は、使用中のエスカチオンを固定している複数本の固着具の内、電池収納ケースをケース本体に固定している固着具を取り外すと、そして、キャップを引き抜くと、簡単にキャップと共に電池収納ケースも一緒に外れることである。第３の目的は、ケース本体に対する電池収納ケースの着脱が容易であると共に、電池収納ケースをケース本体に差し込むだけで直列回路を構成し、端子部材同士のリード線による結線が不要となることである。第４の目的は、電池収納ケースに多数の電池を入れることができることである。
【０００５】
【課題を解決するための手段】
本発明のドア用錠前のエスカチオンは、ドアを挟むように固着手段を介してドアの内壁面並びに外壁面にそれぞれ当接固定された内外のエスカチオンに於いて、前記室内側のエスカチオン３は、少なくとも上下の固着具５を介して前記内壁面１ａに固定され、かつ、上下の端部開口１２，１２を有する枠状カバー本体１１と、前記端部開口を塞ぐようにカバー本体１１に取り外し可能に嵌め込まれ、かつ、同種の物品でデザインが異なる物に交換可能な上下のキャップ１５，１４と、前記カバー本体１１のスペースに組み込まれる電池収納ケース１３とから成り、前記電池収納ケース１３の外端部には被係合部３１が形成され、この被係合部と係止状態に係合する係合爪部ないし係合アームを有する前記キャップ１４をカバー本体１１の端部開口１２から引き抜くと、前記電池収納ケース１３も一緒にカバー本体１１から出てくることを特徴とする。
【０００６】
また本発明のドア用錠前のエスカチオンは、ドアを挟むように固着手段を介してドアの内壁面並びに外壁面にそれぞれ当接固定された内外のエスカチオンに於いて、前記室内側のエスカチオン３Ａは、少なくとも上下の固着具を介して前記内壁面に固定され、かつ、上下の端部開口１２，１２を有する枠状カバー本体１１Ａと、前記端部開口を塞ぐようにカバー本体１１Ａに取り外し可能に嵌め込まれ、かつ、同種の物品でデザインが異なる物に交換可能な上下のキャップ１５，１４Ａと、前記カバー本体１１Ａのスペースに組み込まれる電池収納ケース１３Ａとから成り、前記カバー本体１１Ａの電池収納ケース１３Ａを差し込む側の端部には被係合部３１Ａが形成され、この被係合部と係止状態に係合する係合爪部ないし係合アームを有する前記キャップ１４Ａをカバー本体１１Ａの端部開口１２から引き抜くと、前記電池収納ケース１３Ａをカバー本体１１Ａから取り出せることを特徴とする。
【０００７】
【発明の実施の形態】
以下、図面に示す本発明の実施の形態を説明する。図１乃至図９は本発明の第１実施例である。図１は本発明のドア用錠前のエスカチオンが、ドア１の内壁面に取付けられた状態を示す。図２はドア１の外壁面に取付けられた外側エスカチオンとの関係で使用される本発明のエスカチオンの実施環境を示す。内外のエスカチオン３、４は、例えばホテルの各室のドア１にそれぞれ取付けられたドア用錠前２の一部を構成する。
【０００８】
ところで、当業者用語としての「エスカチオン」は、普通一般にドアに取付けられた錠前の機構をカバーする装飾板としての意味合いを有するが、特に、室内側のエスカチオンは、内部に装着される電源収納ケース、マイクロコンピュータ、上下の嵌合キャップとの関係で創作の対象となっている。本発明の第１実施例は、室内側のエスカチオンの構造に関するものである。
【０００９】
図２で示すように、ドア１の内外の壁面１ａ，１ｂにそれぞれ固定されたエスカチオン３、４には、内外の操作手段１０，８がそれぞれ回転可能に設けられる。ここで符号３は室内側のエスカチオン、一方、４は室外側のエスカチオンである。
【００１０】
内外のエスカチオン３、４は、ドア１を挟むように固着手段５を介し、ドア１の内壁面１ａ並びに外壁面１ｂにそれぞれ当接固定される。上位概念としてのドア用錠前２は、室内側のエスカチオン３のカバー本体内に着脱自在な電池収納ケースを有している。内側のエスカチオン３は、そのカバー本体内に設けた内部空間に前記電池収納ケースに嵌め込まれた内部電源（例えば複数本の電池）により作動するマイクロコンピュータを有している。一方、外側のエスカチオン４には、暗証番号媒体手段（例えば磁気カード）６を差込むための挿入口７や外側レバーハンドル８が設けられている。
【００１１】
図３乃至図９を参照に室内側のエスカチオン３の構成を詳しく説明する。エスカチオン３は、基本的には操作部材としての内側レバーハンドル（又はノブ）１０が回転可能に設けられる枠状のカバー本体１１と、このカバー本体１１の端部開口（本実施例では下方の開口）１２を介してスライド嵌合する電池収納ケース１３と、この電池収納ケース１３の一側下面及びケース本体１１の端面全体をカバーすることができるようにカバー本体１１の下方の端部開口１２に係脱する下キャップ１４と、カバー本体１１の上方の端部開口１２に係脱する上キャップ１５から成る。
【００１２】
前述したように内外のエスカチオン３、４は、ドア１を挟むように固着手段５を介してドア１の内壁面１ａ、並びに外壁面１ｂにそれぞれ当接固定されるが、室内側エスカチオン３のカバー本体１１及び電池収納ケース１３は、図２で示すように複数個の固着手段５，５を介してカバー本体１１或いはドア１の内壁面１ａに固定される。
【００１３】
固着手段５は、本実施例では外エスカチオン４に水平方向に突出して設けられた上下のメネジ杆５ａ，５ａと、枠状カバー本体１１等に形成した上下のネジ用貫通孔１７，１７を貫通し、かつ、これらのメネジ杆５ａ，５ａに螺合する複数個のオネジ５ｂ，５ｂとから成る。そして、オネジ５ｂの一つは、電池収納ケース１３をケース本体１１から引き出す際に下のメネジ杆５ａから外す。
【００１４】
まず枠状カバー本体１１から説明する。カバー本体１１は、前述したように上下の端部が開口１２，１２している。その端部の開口端面は、図６で示すようにチャンネル形状である。本実施例では、カバー本体１１は、その上端部から下端部に至まで同径の正面カバー壁部１１ａを有している。またカバー本体１１の左右の長い側壁部１１ｂ，１１ｂは正面カバー壁部１１ａから多少鈍角方向（外拡状態）に対向連設している。
【００１５】
しかして、カバー本体１１の正面カバー壁部１１ａの下部と内側レバーハンドル用軸孔１６寄りの上部には、上下一対のネジ用貫通孔１７，１７がそれぞれ形成されている。これらのネジ用貫通孔１７は、オネジ５ｂの頭部が丁度嵌合するようにスリバチ状の内周面を形成している。
【００１６】
また正面カバー壁部１１ａの中央部寄りの下部には、内側レバーハンドル１０の取付け位置や電池収納ケース１３の形状を考慮してサムターン１８がサムターン取付け孔１９に設けられている。また、サムターン取付け孔１９と前記軸孔１６との間、本実施例ではカバー本体１１の内側の略中央部には、補強リブ構造の端子支持部材２１が固定的に設けられ、該端子支持部材２１の左右には、マイナスとプラスの弾発性固定端子２２，２２が所定間隔を有して設けられている。
【００１７】
各固定端子２２は、例えば渦巻き状のコイルバネが用いられており、カバー本体１１の内側の下部側に設けた電池収納ケース用スペース２３の方を指向して突出している。そして、電池収納ケース１３をケース本体１１に入れると、電池収納ケース１３の接続用内端部端子３３，３３は、それぞれ対応する前記固定端子２２，２２に圧接する。
【００１８】
また前記側壁部１１ｂ，１１ｂの上部の対向内壁面には、図３及び図６で示すように上キャップ用の被係合部（溝、切欠など）２４，２４が一対形成され、これらの被係合部２４，２４には上キャップ１５の端部寄りの部位にそれぞれ突設した左右一対の係合アーム２５，２５の係合爪部２６，２６が係脱する。
【００１９】
次に上下のキャップ１５，１４について説明する。本発明の上下のキャップは、図示しない各種デザインの上下のキャップを自由に選択して組み合わせることができるように成っているので、上キャップ１５と下キャップ１４の形態は必ずしも同一ではない。
【００２０】
例えば上下キャップ１５，１４のケース本体１１の端面から突出する突出部分１４ａ，１５ａは同一であるが、これらの突出部分１４ａ，１５ａに連設しかつケース本体の端部外壁に多少覆い被さる部分１４ｂ，１５ｂは、デザイン上多少異なっている（図１では一方が多少膨らんでいるのに対し、他方は逆に多少湾曲状に形成されている）。このように本発明の上下のキャップ１４，１５は、バリエーションに富んだ上下キャップが各種用意され、所望する上下のキャップと交換可能である。
【００２１】
ところで、本実施例では上キャップ１５はケース本体１１の上端部に係脱する左右一対の係合アーム２５，２５を有しているが、下キャップ１４も同様に左右一対の係合アーム２７，２７を有している。しかしながら、これらの係合アーム２７，２７の係合爪部２６，２６は、上キャップ１５のようにケース本体の端部に係脱するのではなく、後述する電池収納ケース１３の外端部に形成した左右一対の被係合部（溝、切欠など）と係脱する。
【００２２】
したがって、下キャップ１４の左右一対の係合アーム２７，２７は、電池収納ケース１３の幅寸法に対応して間隔が設定されている。上下のキャップ１４，１５の係合アーム２５，２５，２７，２７は、材質自体に基づき弾性変形機能及び弾性復帰機能を有する。
【００２３】
次に電池収納ケース１３について説明する。この電池収納ケース１３は、本発明のエスカチオン３がドア１の内壁面１ａに固定的に取付けられた使用状態に於いて、消耗電池を交換したい場合に簡単にカバー本体１１から引き出せること、下キャップ１４を上キャップ１５のデザインに適合するように他のデザインの下キャップと交換することができること、電池２９を多数（例えば４本）収納することができること、ケース本体１１に差し込むだけで固定ないし接続用内端部端子がそれぞれ良好に接続することなどを目的としている。
【００２４】
そこで、本実施例では、（１）枠状カバー本体１１の下方のネジ用貫通孔１７と符合するネジ用貫通孔３０が下方中央部に形成されている。この貫通孔３０にはメネジ杆５ａがカバー本体１１を介して貫通する。また外端部の左右の側壁には、下キャップ１４の左右一対の係合アーム２７，２７が係脱する左右一対の被係合部（溝、切欠など）３１，３１が形成されている。これらの被係合部（溝、切欠など）３１，３１には前記係合アーム２７，２７の係合爪部２８，２８が係合する。
【００２５】
（２）また係合アーム２７，２７が外拡変位可能なので、下キャップ１４を電池収納ケース２３から係脱自在に外すことができる。
【００２６】
（３）内端部の中央部から長手方向にサムターンの駆動軸１８ａが入り込む垂直状の長い切欠部３２を有し、この長い切欠部３２を基準にして内部の左右に計４本の単三電池２９が装着されている。
【００２７】
（４）内端部にケース本体１１側の弾発力を有する各固定端子２２，２２とそれぞれ対応接続する内端部端子３３，３３が固定的に設けられている。そして、外端部にも電池のプラス並びにマイナス側に弾発的に圧接する外端部端子３４，３４が固定的に設けられている。なお、複数個の電池２９は、各端子２２，３３が接続すると直列回路を形成する。
【００２８】
上記構成に於いては、図１及び図２で示すように内外のエスカチオン３、４は、ドア１を挟むように複数個（合計２本）の固着手段５を介し、ドア１の内壁面１ａ並びに外壁面１ｂにそれぞれ当接固定される。使用状態に於いて、図３及び図４で示すように電池収納ケース１３が枠状カバー本体１１に完全に差し込まれている時には、電池収納ケース１３の内端部端子３３，３３は、ケース本体１１の固定端子２２，２２にそれぞれ弾発的に当接している。
【００２９】
この場合に於いて、電池収納ケース１３の左右の被係合部３３，３３には下キャップ１４の係合アーム２７，２７の係合爪部２８，２８が係止状態に係合しているが、電池収納ケース１３をケース本体１１に組み込む時は、予め下キャップ１４を電池収納ケース１３に一体的に係止させた状態で嵌め込んでも良いし、また図５で示すように、予め電池収納ケース１３のみをケース本体１１に組み込み、その後に下キャップ１４を電池収納ケース１３の被係合部に係止させても良い。
【００３０】
いずれにしても、ケース本体１１のスペース２３に電池収納ケース１３を入れたならば、ケース本体１１及び電池収納ケース１３の各貫通孔３０にオネジ５ｂを通して電池収納ケース１３をケース本体１１に固定する。
【００３１】
一方、上キャップ１５の方は、ケース本体１１の左右の被係合部２４，２４にその係合アーム２５，２５の係合爪部２６，２６が係止状態に成る所まで差し込む。
【００３２】
しかして、まず、上下のキャップ１４，１５を交換したい場合或いは、電池を交換したい場合には、ドライバーで下方のオネジ５ｂを外し、しかる後に下キャップ１４の突出部分１４ａを摘んで下方方向へと引き出す。下キャップ１４をケース本体１１から引き出すと、図８で示すように電池収納ケース１３も一緒に取り出せる。
【００３３】
そこで、下キャップ１４を交換したい場合には、図９で示すように下キャップ１４を電池収納ケース１３から取り外す。下キャップ１４は電池収納ケース１３を片手に持って引くと、左右の係合アーム２７，２７は外拡変位するので電池収納ケース１３から外れる。このようにして、必要ならば電池２９を交換し、また、所望するならば下キャップ１４を別の意匠のものに交換した後に前述したように電池収納ケース１３と共に、又は電池収納ケース１３をケース本体１１に嵌め込んだ後に別の下キャップを嵌め込む。そして、意匠的に別の下キャップをケース本体に結合した場合には、これに対応する意匠の上キャップを選択し、上キャップも下キャップと同様に交換する。
【００３４】
【実施例】
この欄では第２実施例について説明する。なお、第２の実施例の説明にあたって、第１実施例と同一又は同様（機能が同一）の部分には、同一又は同様の符号を付し、重複する説明を省略する。
【００３５】
図１０乃至図１２に示す第２実施例に於いて、第１実施例と主に異なる点は、下キャップ１４Ａが電池収納ケース１３Ａの外端部に係止状態に係合していない反面、ケース本体１１Ａの一端部に係止状態に係合していることである。
【００３６】
すなわち、この第２実施例のエスカチオン３Ａは、枠状カバー本体１１Ａと、このカバー本体１１Ａに取り外し可能に嵌め込まれ、かつ、同種の物品でデザインが異なる物に交換可能な上下のキャップ１５，１４Ａと、前記カバー本体１１Ａのスペースに組み込まれる電池収納ケース１３Ａとから成る点は第１実施例と同じである。しかし、前記カバー本体１１Ａの電池収納ケース１３Ａを差し込む側の端部には被係合部３１Ａ，３１Ａが形成され、これらの被係合部３１Ａ，３１Ａと係合する係合爪部２８，２８ないし係合アーム２７，２７を有する前記キャップ１４Ａをカバー本体１１Ａの端部開口１２から引き抜くと、前記電池収納ケース１３Ａをカバー本体１１Ａから取り出せる構成である。
【００３７】
したがって、この実施例では、上下キャップ１５，１４Ａを他のデザインの物に交換することができるという効果は第１実施例と同一であるが、下キャップ１４Ａを引き抜いても電池収納ケース１３Ａは下キャップ１４Ａと一緒にケース本体１１Ａから出でない点が相違する。
【００３８】
【発明の効果】
以上の説明から明らかなように、本発明にあっては、次に列挙するような効果がある。
（１）エスカチオンの外観的なデザインを変えようと思う時には、上下キャップのみを簡単に交換することができる。したがって、使用中のエスカチオンの主要部（ドアの内壁面に固定されたケース本体並びに電池収納ケース）をそのまま使用することができる。
（２）請求項１に記載の発明は、使用中のエスカチオンを固定している複数本の固着具の内、電池収納ケースをケース本体に固定している固着具を取り外すと、そして、キャップを引き抜くと、簡単にキャップと共に電池収納ケースも一緒に外れる。
（３）ケース本体に対する電池収納ケースの着脱が容易であると共に、電池収納ケースをケース本体に差し込むだけで直列回路を構成し、端子部材同士のリード線による結線が不要となる。
（４）その他電池収納ケースに多数の電池を入れることができる。
【図面の簡単な説明】
図１乃至図９は本発明の第１実施例を示す各概略説明図。図１０乃至図１２は本発明の第２実施例を示す各概略説明図。
【図１】本発明の実施の形態を説明する斜視図（内側のエスカチオン）。
【図２】本発明の実施の形態を説明する概略説明図（内外のエスカチオン）。
【図３】エスカチオンの裏側（背面）から見た説明図。
【図４】図３の４−４線概略断面説明図。
【図５】ケース本体と上下キャップとの係脱関係を示す説明図。
【図６】図３の６−６線概略断面説明図。
【図７】図３の７−７線概略断面説明図。
【図８】下キャップと一緒に電池収納ケースを取出した場合に於ける背面から見た説明図。
【図９】図８に於いて、さらにキャップと電池収納ケースとを分離した状態の説明図。
【図１０】第２実施例のエスカチオンの裏側（背面）から見た説明図。
【図１１】本体ケースと下キャップとの係脱関係を示す説明図。
【図１２】図１０の１２−１２線概略断面説明図。
【符号の説明】
１…ドア、１ａ…内壁面、２…ドア用錠前、３，３Ａ…、４…（外側）エスカチオン、５…固着手段、１０…内側の操作部材、１１，１１Ａ…カバー本体、１１ｂ…長い側壁部、１２…端部開口、１３，１３Ａ…電池収納ケース、１４，１４Ａ…下キャップ、１５…上キャップ、１４ａ，１５ａ…突出部分、１７…ネジ用貫通孔、１８…操作部材（サムターン）、１９…サムターン取付け孔、２１…端子支持部材、２２…固定端子、２３…スペース、２４…上キャップ用の被係合部、２５……上キャップの係合アーム、２６…上キャップの係合爪部、２７…下キャップの係合アーム、２８…下キャップの係合爪部、２９…電池、３０…電池収納ケースのネジ用貫通孔、３１，３１Ａ…下キャップ用の被係合部、３２…長い切欠部、３３…内端部端子、３４…外端部端子。
【図１】
2004027593.tif 000003
【図２】
2004027593.tif 000004
【図３】
2004027593.tif 000005
【図４】
2004027593.tif 000006
【図５】
2004027593.tif 000007
【図６】
2004027593.tif 000008
【図７】
2004027593.tif 000009
【図８】
2004027593.tif 000010
【図９】
2004027593.tif 000011
【図１０】
2004027593.tif 000012
【図１１】
2004027593.tif 000013
【図１２】
2004027593.tif 000014